(57)【要約】【課題】録画終了処理時間を従来の固定時間から、記録媒体の性能に応じた最適な時間に設定することで、後の番組の録画開始を確実に保証し、かつ、前の番組の最後の方の録画されない時間帯を従来よりも短くすることができ、最小のロスタイムで次の番組の録画に移行する。【解決手段】システムコントローラ１０は、連続した時間の番組の録画予約が設定されている場合には、装填されているディスク１にテスト書き込みを行うことにより、録画終了時の書き込み予想時間を算出し、この書き込み予想時間を録画終了処理時間として内部メモリに保存し、後の番組の録画開始時刻より前記算出した録画終了処理時間だけ前に先の番組の録画動作を停止して、録画終了処理を実行する。【選択図】図１
2007157271.tif 000002
【特許請求の範囲】
【請求項１】
予約録画動作を制御する制御手段を有する情報記録装置において
記録媒体への録画開始時に当該記録媒体にテスト書き込みを行うことにより、録画終了時の書き込み予想時間を録画終了処理時間として算出する算出手段と、
記録媒体の書き込み領域を内周側から外周側に向かって複数の領域に区分するとともに、各領域ごとに前記録画終了処理時間の修正値を格納した修正テーブルとを備えており、
前記制御手段は、連続した時間の番組の録画予約が設定されている場合には、前記算出手段により記録媒体の録画終了処理時間を算出するとともに、前の番組の録画中に現在書き込み中のアドレスから記録媒体の書き込み領域を判定し、その判定結果の領域に対応付けられている修正値を前記修正テーブルから取得して前記算出した録画終了処理時間を修正し、後の番組の録画開始時刻より前記修正した録画終了処理時間だけ前に先の番組の録画動作を停止して、録画終了処理を実行することを特徴とする情報記録装置。
【請求項２】
予約録画動作を制御する制御手段を有する情報記録装置において、
前記制御手段は、連続した時間の番組の録画予約が設定されている場合には、前記算出手段により装填されている記録媒体の録画終了処理時間を算出し、後の番組の録画開始時刻より前記算出した録画終了処理時間だけ前に先の番組の録画動作を停止して、録画終了処理を実行することを特徴とする情報記録装置。
【請求項３】
前記算出手段は、装填されている記録媒体にテスト書き込みを行うことにより、録画終了時の書き込み予想時間を算出し、この書き込み予想時間を前記録画終了処理時間とすることを特徴とする請求項２に記載の情報記録装置。
【請求項４】
前記算出手段は、前記書き込み予想時間に一定の余裕時間を加算した時間を前記録画終了処理時間とすることを特徴とする請求項３に記載の情報記録装置。
【請求項５】
前記算出手段により算出した記録媒体の録画終了処理時間を当該記録媒体と対応付けて順次記憶する記憶手段をさらに備えており、
前記制御手段は、連続した時間の番組の録画予約が設定されている場合には、まず前記記憶手段を参照して装填されている記録媒体の録画終了処理時間が記憶されているか否かを判断し、記憶されている場合にはテスト書き込みを行うことなく、記憶されている録画終了処理時間だけ前に先の番組の録画動作を停止して、録画終了処理を実行することを特徴とする請求項３または請求項４に記載の情報記録装置。
【請求項６】
予約録画動作を制御する制御手段を有する情報記録装置において、
記録媒体の特性を考慮に入れた記録媒体ごとの録画終了処理時間を当該記録媒体の固有情報と対応付けて格納した録画終了処理時間テーブルを備えており、
前記制御手段は、連続した時間の番組の録画予約が設定されている場合には、装填されている記録媒体の固有情報に対応付けられている録画終了処理時間を前記録画終了処理時間テーブルから抽出し、後の番組の録画開始時刻より前記抽出した録画終了処理時間だけ前に先の番組の録画動作を停止して、録画終了処理を実行することを特徴とする情報記録装置。
【請求項７】
前記固有情報が、当該記録媒体の製造国の情報、または製造メーカの情報、または製品種別の情報であることを特徴とする請求項６に記載の情報記録装置。
【請求項８】
予約録画動作を制御する制御手段を有する情報記録装置において、
記録媒体の書き込み領域を内周側から外周側に向かって複数の領域に区分するとともに、各領域ごとに録画終了処理時間を対応付けて格納した録画終了処理時間テーブルを備えており、
前記制御手段は、連続した時間の番組の録画予約が設定されている場合には、前の番組の録画中に現在書き込み中のアドレスから記録媒体の書き込み領域を判定し、その判定結果の領域に対応付けられている録画終了処理時間を前記録画終了処理時間テーブルから抽出し、後の番組の録画開始時刻より前記抽出した録画終了処理時間だけ前に先の番組の録画動作を停止して、録画終了処理を実行することを特徴とする情報記録装置。
【請求項９】
前記複数の領域は、記録媒体の内周側が広く、外周側が狭くなるように区分されていることを特徴とする請求項８に記載の情報記録装置。
【発明の詳細な説明】
【技術分野】
【０００１】
本発明は、予約録画動作を制御する制御手段を備えた情報記録装置に関する。
【背景技術】
【０００２】
録画予約機能を備えた従来の情報記録装置は、連続した放送時間の２番組の予約録画を行う場合（すなわち、前の番組Ａの録画終了時刻と後の番組Ｂの録画開始時刻とが時間的に連続する予約録画を行う場合）、前の番組の録画終了時刻より一定時間前に録画を終了することで、前の予約の録画終了処理を次の予約の録画開始時刻前までに終了するような制御方式が採用されている（例えば、特許文献１参照）。
【０００３】
ここで、一定時間は、例えばどのような粗悪なディスク（記録媒体）であっても録画終了処理の書き込みが終了するであろうと思われる最大時間に設定された固定時間となっている。
【０００４】
また、連続した放送時間の２番組の録画予約が設定されている場合に、その２つの録画予約を前の録画予約１の開始から引き続く後の録画予約２の終了までを１つの録画として取り扱うものも提案されている（例えば、特許文献２参照）。具体的には、録画予約１を実際の録画停止時刻の１５秒前に停止し、次の録画予約２が開始されるまでの１５秒間にチャンネルを切り換えるとともに画質及び音質を設定し、１５秒後に録画予約２の録画を開始する方法（以下、方法１という）、または、録画予約１の録画条件と録画予約２の録画条件とが同じであり、かつ同じチャンネルである場合には、録画予約１の終了時刻を録画予約２の終了時刻に延長し、録画予約１の録画条件と録画予約２の録画条件とが同じであり、かつチャンネルが異なる場合には、録画予約１の終了時刻を録画予約２の終了時刻に延長するとともに、一時停止状態（ポーズ状態）としてチャンネルを切り換え、切り換え後にポーズ状態を解除して録画を継続する方法（以下、方法２という）、が提案されている。
【特許文献１】特開２００４−２００９２５号公報
【特許文献２】特開２００４−３６３６４７号公報
【発明の開示】
【発明が解決しようとする課題】
【０００５】
上記特許文献１では、一定時間が固定となっている。つまり、どのような粗悪なディスクであっても録画終了処理の書き込みが終了するであろうと思われる最大時間に設定されている。そのため、品質の良いディスクでは、この設定されている一定時間よりかなり前に録画終了処理である制御情報の書き込み処理を終了するため、後の録画予約の開始までに無駄な待ち時間が発生してしまうといった問題があった。さらに、最大時間に設定されているため、前の番組の録画において、最後の方が録画できない時間が長くなるといった問題もあった。
【０００６】
また、上記特許文献２では、連続録画を行うことから、上記特許文献１の問題はある程度解決されている。しかし、連続録画を行うため、その後、前に録画した番組と後に録画した番組とを個別に視聴できるようにするために前の録画番組と後の録画番組とを区別する処理が必要となり、この処理は従来行っている通常の処理とは処理手順が異なることから、煩雑な処理となっていた。また、上記特許文献２の連続処理は、上記方法２で説明したように、録画条件とが同じであり、かつ同じチャンネルである場合には有効であるが、録画条件が異なり、かつチャンネルも異なる場合には、ポーズ状態にしてチャンネルを切り換え、その後ポーズ状態を解除するといった煩雑な処理が必要になるといった問題があった。さらに、このような処理を行ったとしても、音質や画質の多少の低下を容認する必要があるため、ユーザにとって必ずしも好ましい処理方法ではなかった。
【０００７】
本発明はかかる問題点を解決すべく創案されたもので、その目的は、録画終了処理時間を従来の固定時間から、記録媒体の性能に応じた最適な時間に設定することで、後の番組の録画開始を確実に保証するとともに、前の番組の最後の方の録画されない時間帯を従来よりも短くすることができ、最小のロスタイムで次の番組の録画に移行することのできる情報記録装置を提供することにある。
【課題を解決するための手段】
【０００８】
上記課題を解決するため、本発明の情報記録装置は、予約録画動作を制御する制御手段を有する情報記録装置において、記録媒体の特性を考慮に入れた録画終了処理時間を算出する算出手段を備えており、前記制御手段は、連続した時間の番組の録画予約が設定されている場合には、前記算出手段により装填されている記録媒体の録画終了処理時間を算出し、後の番組の録画開始時刻より前記算出した録画終了処理時間だけ前に先の番組の録画動作を停止して、録画終了処理を実行することを特徴とする。具体的には、前記算出手段は、装填されている記録媒体にテスト書き込みを行うことにより、録画終了時の書き込み予想時間を算出し、この書き込み予想時間を前記録画終了処理時間とすることを特徴とする。この場合、前記書き込み予想時間に一定の余裕時間を加算した時間を前記録画終了処理時間としてもよい。
【０００９】
このように、録画動作の開始時に、装填されている記録媒体に実際にテスト書き込みを行って録画終了時の書き込み予想時間を算出することで、その記録媒体に合った録画終了処理時間を求めることができるため、前の録画終了から次の録画開始までの時間を必要最小限に抑えることができる。つまり、連続した時間の２番組の予約録画を行うときには、どうしても前の番組の最後の方の一部が録画されなくなってしまうが、本発明によれば、この録画されなくなってしまう時間を最小限に抑えることができる。
【００１０】
また、本発明の情報記録装置によれば、前記算出手段により算出した記録媒体の録画終了処理時間を当該記録媒体と対応付けて順次記憶する記憶手段をさらに備えており、前記制御手段は、連続した時間の番組の録画予約が設定されている場合には、まず前記記憶手段を参照して装填されている記録媒体の録画終了処理時間が記憶されているか否かを判断し、記憶されている場合にはテスト書き込みを行うことなく、記憶されている録画終了処理時間だけ前に先の番組の録画動作を停止して、録画終了処理を実行するように構成してもよい。
【００１１】
このような構成とすると、以前に使用した記録媒体については、すでに録画終了処理時間が記憶されているため、テスト書き込みを再度行う必要がなくなる。テスト書き込みのできる回数は限られているため、本発明によれば無駄なテスト書き込みを無くすことが可能となる。
【００１２】
また、本発明の情報記録装置は、予約録画動作を制御する制御手段を有する情報記録装置において、記録媒体の特性を考慮に入れた記録媒体ごとの録画終了処理時間を当該記録媒体の固有情報と対応付けて格納した録画終了処理時間テーブルを備えており、前記制御手段は、連続した時間の番組の録画予約が設定されている場合には、装填されている記録媒体の固有情報に対応付けられている録画終了処理時間を前記録画終了処理時間テーブルから抽出し、後の番組の録画開始時刻より前記抽出した録画終了処理時間だけ前に先の番組の録画動作を停止して、録画終了処理を実行することを特徴とする。この場合、前記固有情報は、当該記録媒体の製造国の情報、または製造メーカの情報、または製品種別の情報である。
【００１３】
記録媒体の特性及び品質は、製造国によっても異なり、また製造メーカによっても異なり、さらには同じ製造メーカであっても、製品の種別によって異なる。そのため、録画終了処理時間も記録媒体ごと（この場合は、国ごと、製造メーカごと、製品種別ごとである）によって異なっている。本発明では、この点を考慮し、記録媒体の固有情報（ＩＤ番号等）とその記録媒体の特性を考慮した録画終了処理時間とを対応付けた録画終了処理時間テーブルを備えていることで、記録媒体ごとに最適な録画終了処理時間を設定することが可能となる。
【００１４】
また、本発明の情報記録装置は、予約録画動作を制御する制御手段を有する情報記録装置において、記録媒体の書き込み領域を内周側から外周側に向かって複数の領域に区分するとともに、各領域ごとに録画終了処理時間を対応付けて格納した録画終了処理時間テーブルを備えており、前記制御手段は、連続した時間の番組の録画予約が設定されている場合には、前の番組の録画中に現在書き込み中のアドレスから記録媒体の書き込み領域を判定し、その判定結果の領域に対応付けられている録画終了処理時間を前記録画終了処理時間テーブルから抽出し、後の番組の録画開始時刻より前記抽出した録画終了処理時間だけ前に先の番組の録画動作を停止して、録画終了処理を実行することを特徴とする。この場合、前記複数の領域は、記録媒体の内周側が広く、外周側が狭くなるように区分するのがよい。
【００１５】
記録媒体は、ディスク基板を内周側から外周側に向かって伸延して製造するため、記録媒体の内周側の方が外周側に比べて品質が良いのが一般的である。そのため、記録媒体の内周側と外周側とでは、録画終了処理の時間も若干異なることとなる。本発明では、この点を考慮し、録画終了処理を行う記録媒体上の位置（アドレス）と記録媒体の品質、特性を考慮した録画終了処理時間とを対応付けた録画終了処理時間テーブルを備えていることで、録画終了処理の書き込み位置に対応した最適な録画終了処理時間を設定することが可能となる。
【００１６】
また、本発明の情報記録装置は、予約録画動作を制御する制御手段を有する情報記録装置において、記録媒体への録画開始時に当該記録媒体にテスト書き込みを行うことにより、録画終了時の書き込み予想時間を録画終了処理時間として算出する算出手段と、記録媒体の書き込み領域を内周側から外周側に向かって複数の領域に区分するとともに、各領域ごとに前記録画終了処理時間の修正値を格納した修正テーブルとを備えており、前記制御手段は、連続した時間の番組の録画予約が設定されている場合には、前記算出手段により記録媒体の録画終了処理時間を算出するとともに、前の番組の録画中に現在書き込み中のアドレスから記録媒体の書き込み領域を判定し、その判定結果の領域に対応付けられている修正値を前記修正テーブルから取得して前記算出した録画終了処理時間を修正し、後の番組の録画開始時刻より前記修正した録画終了処理時間だけ前に先の番組の録画動作を停止して、録画終了処理を実行することを特徴とする。
【００１７】
このような特徴を有する本発明によれば、テスト書き込みによってその記録媒体の適正な録画終了処理時間が算出できるとともに、前の番組の録画終了処理の書き込み位置に応じた修正値によって前記録画終了処理時間をさらに修正することで、より最適な録画終了処理時間を求めることができる。これにより、連続した時間の２番組の予約録画を行うときには、どうしても前の番組の最後の方の一部が録画されなくなってしまうが、本発明によれば、この録画されなくなってしまう時間を最小限に抑えることができる。
【発明の効果】
【００１８】
本発明の情報記録装置によれば、録画動作の開始時に、装填されている記録媒体に実際にテスト書き込みを行って録画終了時の書き込み予想時間を算出することで、その記録媒体に合った録画終了処理時間を求めることができるため、前の録画終了から次の録画開始までの時間を必要最小限に抑えることができる。
【００１９】
また、本発明の情報記録装置によれば、記録媒体の固有情報とその記録媒体の特性を考慮した録画終了処理時間とを対応付けた録画終了処理時間テーブルを備えていることで、記録媒体ごとに最適な録画終了処理時間を設定することができるため、前の録画終了から次の録画開始までの時間を必要最小限に抑えることができる。
【００２０】
また、本発明の情報記録装置によれば、録画終了処理を行う記録媒体上の位置（アドレス）と記録媒体の品質、特性を考慮した録画終了処理時間とを対応付けた録画終了処理時間テーブルを備えていることで、録画終了処理の書き込み位置に対応した最適な録画終了処理時間を設定することができるため、前の録画終了から次の録画開始までの時間を必要最小限に抑えることができる。
【００２１】
つまり、連続した時間の２番組の予約録画を行うときには、どうしても前の番組の最後の方の一部が録画されなくなってしまうが、本発明によれば、この録画されなくなってしまう時間を最小限に抑えることができる。
【発明を実施するための最良の形態】
【００２２】
以下、本発明の実施の形態について、図面を参照して説明する。
【００２３】
図１は、本発明の情報記録装置であるＤＶＤレコーダのシステム構成を示している。
【００２４】
装填されたディスク１にデータを書き込むとともにディスク１からデータを読み込む光ピックアップ３の出力は、ＲＦアンプ５を介してデジタル信号処理回路７に接続されており、デジタル信号処理回路７の出力は、光ピックアップ３によるデータの書き込み時や読み込み時のレーザ出力を制御するレーザドライバ８に接続されている。また、サーボ処理回路９の出力は、光ピックアップ３をディスク１の半径方向に移動させるためのフィードモータ４とディスク１を回転駆動するスピンドルモータ２とに接続されており、これらデジタル信号処理回路７及びサーボ処理回路９は、装置全体の動作制御を行うシステムコントローラ１０と双方向に接続されている。
【００２５】
デジタル信号処理回路７には、記録動作時や再生動作時にデータを一時的に蓄積するバッファとしてのＤＲＡＭ６が双方向に接続されているとともに、デジタルデータをアナログデータに変換してＣＲＴ等の表示装置２１に出力するＤ／Ａ変換回路１２が接続されている。また、デジタル信号処理回路７には、テレビジョン放送信号を受信するチューナ回路１６が接続されている。
【００２６】
システムコントローラ１０には、ディスク１のパラメータやレーザパワーのパラメータ等の固有情報を格納しておくためのＥＥＰＲＯＭ１１が双方向に接続されているとともに、リモコン送信機１８からの赤外線信号を受信する受信部１４と装置本体前面に設けられたキー入力部１５とが接続されている。また、システムコントローラ１０には、装置本体前面に設けられたＬＣＤ等からなる表示パネル１３が接続されている。
【００２７】
デジタル信号処理回路７は、光ピックアップ３によって読み込まれたデータを処理する機能を有しており、ＥＦＭ復調や、ＡＣＩＲＣ（Advanced Cross Interleaved Reed-Solomon Code）による誤り訂正方式に従って、１６ビットの信号を８ビットづつに区切り、その８ビットを１４ビットに変換するといった処理等を行う。また、デジタル信号処理回路７は、復調したオーディオデータを音声伸長処理してＤ／Ａ変換回路１２に出力する。Ｄ／Ａ変換回路１２は、音声伸長処理されたオーディオデータをアナログ信号に変換して出力する。また、デジタル信号処理回路７は、チューナ回路１６によって受信されたデジタルのテレビジョン放送信号を、ディスク１に書き込むためのデータ圧縮等の処理を行う。
【００２８】
システムコントローラ１０は、図示は省略しているがＣＰＵ、ＲＯＭ、ＲＡＭ等から構成されており、連続した時間の番組の録画予約が設定されている場合には、後述する予約録画動作を制御する。以下、システムコントローラ１０で実施さる予約録画動作の実施例について説明する。
【実施例１】
【００２９】
本実施例１では、システムコントローラ１０は、ディスクの特性を考慮に入れた録画終了処理時間を算出する算出機能を有しており、連続した時間の番組の録画予約が設定されている場合には、前記算出機能により、装填されているディスクの録画終了処理時間を算出し、後の番組の録画開始時刻より前記算出した録画終了処理時間だけ前に、先の番組の録画動作を停止して、録画終了処理を実行するようになっている。以下、図２に示すフローチャートを参照して具体的に説明する。
【００３０】
ユーザがリモコン１８等を操作して録画予約を設定すると、システムコントローラ１０は、その設定された予約内容を確認する。本実施例１では、連続した時間の２番組の録画予約が設定されていか否かを確認する（ステップＳ１）。
【００３１】
その結果、連続した時間の２番組の録画予約が設定されている場合（ステップＳ１でＹｅｓと判断された場合）には、次に、前の番組（以下「１つ目の番組」という。）の録画開始時刻になったか否かを、図示しない内部の時計部によって確認する（ステップＳ２）。
【００３２】
そして、録画開始時刻になると（ステップＳ２でＹｅｓと判断されると）、システムコントローラ１０は、装填されているディスク１の所定の領域に、予め設定されている所定情報のテスト書き込みを行い（ステップＳ３）、その書き込み時間から、録画終了時の書き込み予想時間を算出し、この書き込み予想時間を録画終了処理時間として、図示しない内部メモリ（ＲＡＭ等）に保存する（ステップＳ４）。この場合、書き込み予想時間に一定の余裕時間を加算した時間を録画終了処理時間としてもよい。例えば、書き込み予想時間が３０秒であった場合には、一定の余裕時間として５秒を加算した３５秒を録画終了処理時間としてもよい。
【００３３】
この後、システムコントローラ１０は、１つ目の番組の録画を開始する（ステップＳ５）。そして、１つ目の番組の録画終了時刻から、内部メモリに保存した録画終了処理時間だけ前の時刻になったか否かを監視する（ステップＳ６）。例えば、１つ目の番組の録画終了時刻が午後９時００分であった場合には、午後８時５９分３０秒（または余裕時間を考慮した午後８時５９分２５秒）になったか否かを監視する。そして、１つ目の番組の録画終了時刻から、内部メモリに保存した録画終了処理時間だけ前の時刻になると（ステップＳ６でＹｅｓと判断されると）、システムコントローラ１０は、１つ目の番組の録画を停止して（ステップＳ７）、録画終了処理を開始する（ステップＳ８）。すなわち、制御情報の書き込みを開始する。そして、制御情報の書き込みを終了すると（ステップＳ９でＹｅｓと判断されると）、次に、後の番組（以下「２つ目の番組」という。）の録画開始時刻になったか否かを監視し（ステップＳ１０）、録画開始時刻になると（ステップＳ１０でＹｅｓと判断されると）、続けて２つ目の番組の録画を開始する（ステップＳ１１）。
【００３４】
本実施例１によれば、予約録画動作の開始時に、装填されているディスク１に実際にテスト書き込みを行って録画終了時の書き込み予想時間を算出することで、そのディスク１に合った録画終了処理時間を求めることができるため、１つ目の番組の録画終了から２つ目の番組の録画開始までの時間を必要最小限に抑えることができる。
【実施例２】
【００３５】
本実施例２では、上記実施例１でテスト書き込みにより求めた録画終了処理時間を、そのディスク１の固有コード（ディスクごとに割り振られている例えば製造番号等）に対応付けて例えばＥＥＰＲＯＭ１１に順次蓄積し、連続した時間の２番組の録画予約が設定されている場合には、まずＥＥＰＲＯＭ１１に蓄積されている個々のディスクごとの録画終了処理時間を優先して使用する実施例である。以下、図３に示すフローチャートを参照して具体的に説明する。
【００３６】
ユーザがリモコン１８等を操作して録画予約を設定すると、システムコントローラ１０は、その設定された予約内容を確認する。本実施例２では、連続した時間の２番組の録画予約が設定されていか否かを確認する（ステップＳ２１）。その結果、連続した時間の２番組の録画予約が設定されている場合（ステップＳ２１でＹｅｓと判断された場合）には、次に、１つ目の番組の録画開始時刻になったか否かを、図示しない内部の時計部によって確認する（ステップＳ２２）。
【００３７】
そして、録画開始時刻になると（ステップＳ２２でＹｅｓと判断されると）、システムコントローラ１０は、装■されているディスク１の固有コードに基づき、ＥＥＰＲＯＭ１１にすでに録画終了処理時間が保存されているか否かを確認する（ステップＳ２３）。その結果、録画終了処理時間が保存されている場合（ステップＳ２３でＹｅｓと判断された場合）には、その録画終了処理時間を図示しない内部メモリ（ＲＡＭ等）に保存して（ステップＳ３３）、ステップＳ２６に進み、１つ目の番組の録画を開始する。
【００３８】
一方、そのディスク１の録画終了処理時間がＥＥＰＲＯＭ１１に保存されていない場合（ステップＳ２３でＮｏと判断された場合）には、装填されているディスク１の所定の領域に、予め設定されている所定情報のテスト書き込みを行い（ステップＳ２４）、その書き込み時間から、録画終了時の書き込み予想時間を算出し、この書き込み予想時間を録画終了処理時間として、図示しない内部メモリ（ＲＡＭ等）とＥＥＰＲＯＭ１1とに保存する（ステップＳ２５）。この場合、書き込み予想時間に一定の余裕時間を加算した時間を録画終了処理時間としてもよい。
【００３９】
この後、システムコントローラ１０は、１つ目の番組の録画を開始し（ステップＳ２６）、１つ目の番組の録画終了時刻から、内部メモリに保存した録画終了処理時間だけ前の時刻になったか否かを監視する（ステップＳ２７）。そして、１つ目の番組の録画終了時刻から、内部メモリに保存した録画終了処理時間だけ前の時刻になると（ステップＳ２７でＹｅｓと判断されると）、システムコントローラ１０は、１つ目の番組の録画を停止して（ステップＳ２８）、録画終了処理を開始する（ステップＳ２９）。すなわち、制御情報の書き込みを開始する。そして、制御情報の書き込みを終了すると（ステップＳ３０でＹｅｓと判断されると）、次に、２つ目の番組の録画開始時刻になったか否かを監視し（ステップＳ３１）、録画開始時刻になると（ステップＳ３１でＹｅｓと判断されると）、続けて２つ目の番組の録画を開始する（ステップＳ３２）。
【００４０】
本実施例２によれば、以前に使用したディスク１については、すでに録画終了処理時間がＥＥＰＲＯＭ１１に記憶されているため、テスト書き込みを再度行う必要がなくなる。テスト書き込みのできる回数は限られているため、本実施例２によれば無駄なテスト書き込みを無くすことが可能となる。
【実施例３】
【００４１】
本実施例３では、システムコントローラ１０は、ディスクの特性を考慮に入れたディスクごとの録画終了処理時間を当該ディスクの固有情報と対応付けて格納した録画終了処理時間テーブルを備えている。そして、連続した時間の番組の録画予約が設定されている場合には、装填されているディスクの固有情報に対応付けられている録画終了処理時間を録画終了処理時間テーブルから抽出し、２つ目の番組の録画開始時刻より前記抽出した録画終了処理時間だけ前に、１つ目の番組の録画動作を停止して、録画終了処理を実行するようになっている。以下、具体的に説明する。
【００４２】
図４は、本実施例３の録画終了処理時間テーブルの構成例を示している。
【００４３】
この録画終了処理時間テーブルは、ディスク１の固有情報と録画終了処理時間とが対応付けられたテーブルとなっている。ここで、固有情報は、図４（ａ）に示すように、例えば日本、米国、台湾、中国、韓国、ドイツ、イギリス、・・・といったディスク製造国別のコードとすることができる。ディスクの特性や性能は、製造国が異なれば若干の差異が生じるものである。従って、製造国別に録画終了処理時間を設定することにはそれなりの意義がある。この例では、Ａ国製及びＢ国製のディスクは３０秒、Ｃ国製のディスクは４５秒、Ｄ国製のディスクは６０秒、Ｅ国製のディスクは５０秒といった具合に、製造国別に録画終了処理時間を設定している。なお、このような国ごとの録画終了処理時間は、実験等によって予め最適な時間を求めておけばよい。
【００４４】
また、固有情報は、図４（ｂ）に示すように、ＡＢ社製、ＣＤ社製、ＥＦ社製、・・・といったディスクの製造メーカ別のコードとすることができる。ディスクの性能や特性は、同じ製造国であっても製造メーカが異なれば若干の差異があるものである。従って、製造メーカごとに録画終了処理時間を設定することにはそれなりの意義がある。この例では、ＡＢ社製のディスクは３５秒、ＣＤ社製のディスクは４０秒、ＥＦ社製のディスクは３０秒といった具合に、製造メーカ別に録画終了処理時間を設定している。なお、このような製造メーカごとの録画終了処理時間も、実験等によって予め最適な時間を求めておけばよい。
【００４５】
また、固有情報は、図４（ｃ）に示すように、ａｂｃ製品、ｄｅｆ製品、ｇｈｉ製品、・・・といった製品の種別コードとすることができる。ディスクの性能や特性は、同じ製造メーカであっても、製造している製品の種別（ハイクオリティー、スタンダード等）によって差異があるものである。従って、製品の種別ごとに録画終了処理時間を設定することには意義がある。この例では、製造メーカＡＢの製品種別ａｂｃのディスクは３０秒、製品種別ｄｅｆのディスクは３３秒、製品種別ｇｈｉのディスクは３６秒といった具合に、製品種別ごとに録画終了処理時間を設定している。なお、このような製品種別ごとの録画終了処理時間も、実験等によって予め最適な時間を求めておけばよい。
【００４６】
本実施例３では、図４（ａ）〜（ｃ）に示すいずれかの録画終了処理時間テーブルが例えばＥＥＰＲＯＭ１１に予め格納されている。
【００４７】
次に、図４に示す何れかの録画終了処理時間テーブルを用いた本実施例３の予約録画動作処理について、図５に示すフローチャートを参照して説明する。
【００４８】
ユーザがリモコン１８等を操作して録画予約を設定すると、システムコントローラ１０は、その設定された予約内容を確認する。本実施例３では、連続した時間の２番組の録画予約が設定されていか否かを確認する（ステップＳ４１）。
【００４９】
その結果、連続した時間の２番組の録画予約が設定されている場合（ステップＳ４１でＹｅｓと判断された場合）には、次に、１つ目の番組の録画開始時刻になったか否かを、図示しない内部の時計部によって確認する（ステップＳ４２）。
【００５０】
そして、録画開始時刻になると（ステップＳ４２でＹｅｓと判断されると）、システムコントローラ１０は、ディスク１から上記固有情報を読み取り（ステップＳ４３）、この読み取った固有情報に基づいて録画終了処理時間テーブルを参照し、該当する録画終了処理時間を取得して、図示しない内部メモリ（ＲＡＭ等）に保存する（ステップＳ４４）。
【００５１】
この後、システムコントローラ１０は、１つ目の番組の録画を開始し（ステップＳ４５）、１つ目の番組の録画終了時刻から、内部メモリに保存した録画終了処理時間だけ前の時刻になったか否かを監視する（ステップＳ４６）。そして、１つ目の番組の録画終了時刻から、内部メモリに保存した録画終了処理時間だけ前の時刻になると（ステップＳ４６でＹｅｓと判断されると）、システムコントローラ１０は、１つ目の番組の録画を停止して（ステップＳ４７）、録画終了処理を開始する（ステップＳ４８）。すなわち、制御情報の書き込みを開始する。そして、制御情報の書き込みを終了すると（ステップＳ４９でＹｅｓと判断されると）、次に、２つ目の番組の録画開始時刻になったか否かを監視し（ステップＳ５０）、録画開始時刻になると（ステップＳ５０でＹｅｓと判断されると）、続けて２つ目の番組の録画を開始する（ステップＳ５１）。
【００５２】
本実施例３によれば、ディスクの固有情報とそのディスクの特性を考慮した録画終了処理時間とを対応付けた録画終了処理時間テーブルを備えていることで、ディスクごとに最適な録画終了処理時間を設定することが可能となる。
【実施例４】
【００５３】
本実施例４では、システムコントローラ１０は、ディスクの書き込み領域を内周側から外周側に向かって複数の領域に区分するとともに、各領域ごとに録画終了処理時間を対応付けて格納した録画終了処理時間テーブルを備えている。そして、連続した時間の番組の録画予約が設定されている場合には、１つ目の番組の録画中に現在書き込み中のアドレスからディスクの書き込み領域を判定し、その判定結果の領域に対応付けられている録画終了処理時間を前記録画終了処理時間テーブルから抽出し、２つ目の番組の録画開始時刻より前記抽出した録画終了処理時間だけ前に、１つ目の番組の録画動作を停止して、録画終了処理を実行するようになっている。以下、具体的に説明する。
【００５４】
図６は、本実施例４の録画終了処理時間テーブルの構成例を示している。
【００５５】
この録画終了処理時間テーブルは、ディスクの書き込み領域を内周側から外周側に向かって複数の領域に区分し、各領域ごとに録画終了処理時間が対応付けられたテーブルとなっている。
【００５６】
ディスクは、ディスク基板を内周側から外周側に向かって伸延して製造するため、ディスクの内周側の方が外周側に比べて品質が良いのが一般的である。そのため、ディスクの内周側と外周側とでは、録画終了処理の時間も若干異なることとなる。本実施例４ではこの点を考慮し、ディスクの領域を、図７に示すように、内周側では１つの領域を広くとり、外周側に行くに従って１つの領域が狭くなるように区分している。ここでは、内周側から半径方向の距離の半分ぐらいまでの領域を１つの領域Ａとし、残り半分の領域を、半径方向の距離が順次狭くなるように複数領域（Ｂ〜Ｄ）に区分している。ただし、区分の方法は等間隔でもよい。また、区分数もこのような４区分に限定されるものではなく、適宜の数に区切れば良い。なお、このような各領域に対する録画終了処理時間は、実験等によって予め最適な時間を求めておけばよい。
【００５７】
本実施例４では、図６に示す録画終了処理時間テーブルが例えばＥＥＰＲＯＭ１１に予め格納されている。
【００５８】
次に、図６に示す録画終了処理時間テーブルを用いた本実施例４の予約録画動作処理について、図８に示すフローチャートを参照して説明する。
【００５９】
ユーザがリモコン１８等を操作して録画予約を設定すると、システムコントローラ１０は、その設定された予約内容を確認する。本実施例４では、連続した時間の２番組の録画予約が設定されていか否かを確認する（ステップＳ６１）。
【００６０】
その結果、連続した時間の２番組の録画予約が設定されている場合（ステップＳ６１でＹｅｓと判断された場合）には、次に、１つ目の番組の録画開始時刻になったか否かを、図示しない内部の時計部によって確認する（ステップＳ６２）。
【００６１】
そして、録画開始時刻になると（ステップＳ６２でＹｅｓと判断されると）、システムコントローラ１０は、１つ目の番組の録画時間から録画終了時のディスク１の書き込み領域を算出し、その書き込み領域に基づいて録画終了処理時間テーブルを参照し、該当する録画終了処理時間を取得して、図示しない内部メモリ（ＲＡＭ等）に保存する（ステップＳ６３）。例えば、算出した書き込み領域が領域Ａである場合には、録画終了処理時間として３０秒を取得し、算出した書き込み領域が領域が領域Ｂである場合には、録画終了時間として３２秒を取得する。
【００６２】
この後、システムコントローラ１０は、１つ目の番組の録画を開始し（ステップＳ６４）、１つ目の番組の録画終了時刻から、内部メモリに保存した録画終了処理時間だけ前の時刻になったか否かを監視する（ステップＳ６５）。そして、１つ目の番組の録画終了時刻から、内部メモリに保存した録画終了処理時間だけ前の時刻になると（ステップＳ６５でＹｅｓと判断されると）、システムコントローラ１０は、１つ目の番組の録画を停止して（ステップＳ６６）、録画終了処理を開始する（ステップＳ６７）。すなわち、制御情報の書き込みを開始する。そして、制御情報の書き込みを終了すると（ステップＳ６８でＹｅｓと判断されると）、次に、２つ目の番組の録画開始時刻になったか否かを監視し（ステップＳ６９）、録画開始時刻になると（ステップＳ６９でＹｅｓと判断されると）、続けて２つ目の番組の録画を開始する（ステップＳ７０）。
【００６３】
本実施例４によれば、録画終了処理を行うディスク上の位置（アドレス）とディスクの品質、特性を考慮した録画終了処理時間とを対応付けた録画終了処理時間テーブルを備えていることで、録画終了処理の書き込み位置に対応した最適な録画終了処理時間を設定することが可能となる。
【実施例５】
【００６４】
本実施例５では、システムコントローラ１０は、ディスクへの録画開始時に当該ディスクにテスト書き込みを行うことにより、録画終了時の書き込み予想時間を録画終了処理時間として算出する算出機能を有している。また、ディスクの書き込み領域を内周側から外周側に向かって複数の領域に区分するとともに、各領域ごとに前記録画終了処理時間の修正値を格納した修正テーブルを備えている。そして、連続した時間の番組の録画予約が設定されている場合には、前記算出機能によりディスクの録画終了処理時間を算出するとともに、１つ目の番組の録画中に現在書き込み中のアドレスから記録媒体の書き込み領域を判定し、その判定結果の領域に対応付けられている修正値を前記修正テーブルから取得して前記算出した録画終了処理時間を修正し、２つ目の番組の録画開始時刻より前記修正した録画終了処理時間だけ前に、１つ目の番組の録画動作を停止して、録画終了処理を実行するようになっている。以下、具体的に説明する。
【００６５】
図９は、本実施例５の修正テーブルの構成例を示している。
【００６６】
この補正テーブルは、ディスクの書き込み領域を内周側から外周側に向かって複数の領域に区分し、各領域ごとに録画終了処理時間の補正値が対応付けられたテーブルとなっている。
【００６７】
上記実施例４で説明した通り、ディスクは、ディスク基板を内周側から外周側に向かって伸延して製造するため、ディスクの内周側の方が外周側に比べて品質が良いのが一般的である。そのため、ディスクの内周側と外周側とでは、録画終了処理の時間も若干異なることとなる。そのため、本実施例５でも同様に、ディスクの領域を、図７に示すように区分し、各領域ごとに修正値を設定している。この例では、領域Ａの修正値を０（秒）、領域Ｂの修正値を＋２（秒、領域Ｃの修正値を＋５（秒）、領域Ｄの修正値を＋８（秒）としている。なお、このような各領域に対する補正値は、実験等によって予め最適な時間を求めておけばよい。
【００６８】
次に、図９に示す修正テーブルを用いた本実施例５の予約録画動作処理について、図１０に示すフローチャートを参照して説明する。
【００６９】
ユーザがリモコン１８等を操作して録画予約を設定すると、システムコントローラ１０は、その設定された予約内容を確認する。本実施例５では、連続した時間の２番組の録画予約が設定されていか否かを確認する（ステップＳ８１）。
【００７０】
その結果、連続した時間の２番組の録画予約が設定されている場合（ステップＳ１でＹｅｓと判断された場合）には、次に、１つ目の番組の録画開始時刻になったか否かを、図示しない内部の時計部によって確認する（ステップＳ８２）。
【００７１】
そして、録画開始時刻になると（ステップＳ８２でＹｅｓと判断されると）、システムコントローラ１０は、装填されているディスク１の所定の領域に、予め設定されている所定情報のテスト書き込みを行い（ステップＳ８３）、その書き込み時間から、録画終了時の書き込み予想時間を算出する（ステップＳ８４）。
【００７２】
また、システムコントローラ１０は、録画開始時刻になると、１つ目の番組の録画時間から録画終了時のディスク１の書き込み領域を算出し、その書き込み領域に基づいて修正テーブルから修正値を取得する（ステップＳ８５）。例えば、算出した書き込み領域が領域Ｃである場合には、修正値として＋５秒を取得する。そして、ステップＳ８４で算出した書き込み予想時間を修正値で修正することにより録画終了処理時間を取得し、図示しない内部メモリ（ＲＡＭ等）に保存する（ステップＳ８６）。例えば、ステップＳ８４で算出した書き込み予想時間が３０秒であった場合には、修正後の録画終了処理時間として３５秒（＝３０＋５）を取得する。
【００７３】
この後、システムコントローラ１０は、１つ目の番組の録画を開始する（ステップＳ８７）。そして、１つ目の番組の録画終了時刻から、内部メモリに保存した録画終了処理時間だけ前の時刻になったか否かを監視する（ステップＳ８８）。例えば、１つ目の番組の録画終了時刻が午後９時００分であった場合には、午後８時５９分２５秒になったか否かを監視する。そして、１つ目の番組の録画終了時刻から、内部メモリに保存した録画終了処理時間だけ前の時刻になると（ステップＳ８８でＹｅｓと判断されると）、システムコントローラ１０は、１つ目の番組の録画を停止して（ステップＳ８９）、録画終了処理を開始する（ステップＳ９０）。すなわち、制御情報の書き込みを開始する。そして、制御情報の書き込みを終了すると（ステップＳ９１でＹｅｓと判断されると）、次に、２つ目の番組の録画開始時刻になったか否かを監視し（ステップＳ９２）、録画開始時刻になると（ステップＳ９２でＹｅｓと判断されると）、続けて２つ目の番組の録画を開始する（ステップＳ９３）。
【００７４】
本実施例５によれば、テスト書き込みによってそのディスクの適正な録画終了処理時間が算出できるとともに、１つ目の番組の録画終了処理の書き込み位置に応じた修正値によって前記録画終了処理時間をさらに修正することで、より最適な録画終了処理時間を求めることが可能となる。
【図面の簡単な説明】
【００７５】
【図１】本発明の情報記録装置をＤＶＤレコーダに適用した場合のシステム構成図である。
【図２】システムコントローラによる実施例１の予約録画処理動作を示すフローチャートである。
【図３】システムコントローラによる実施例２の予約録画処理動作を示すフローチャートである。
【図４】実施例３の録画終了処理時間テーブルの構成例を示す説明図である。
【図５】システムコントローラによる実施例３の予約録画処理動作を示すフローチャートである。
【図６】実施例３の録画終了処理時間テーブルの構成例を示す説明図である。
【図７】ディスクの分割領域の一例を示す説明図である。
【図８】システムコントローラによる実施例４の予約録画処理動作を示すフローチャートである。
【図９】実施例５の修正テーブルの構成例を示す説明図である。
【図１０】システムコントローラによる実施例５の予約録画処理動作を示すフローチャートである。
【符号の説明】
【００７６】
１  ディスク
２  スピンドルモータ
３  光ピックアップ
４  フィードモータ
５  ＲＦアンプ
６  ＤＲＡＭ（メモリバッファ）
７  デジタル信号処理回路
８  レーザドライバ
９  サーボ処理回路
１０  システムコントローラ
１１  ＥＥＰＲＯＭ（メモリ）
１２  Ｄ／Ａ変換回路
１３  表示パネル
１４  受信部
１５  キー入力部
１６  チューナ回路
１８  リモコン送信機
２１  表示装置
【図１】
2007157271.tif 000003
【図２】
2007157271.tif 000004
【図３】
2007157271.tif 000005
【図４】
2007157271.tif 000006
【図５】
2007157271.tif 000007
【図６】
2007157271.tif 000008
【図７】
2007157271.tif 000009
【図８】
2007157271.tif 000010
【図９】
2007157271.tif 000011
【図１０】
2007157271.tif 000012